(57)【要約】      （修正有）【課題】 薄型にでき、ウイングロック装置全体が回転する場合にハンドルが他の部材と干渉しない位置に自然に保持され、ストッパをウイングの開閉の邪魔にならない開き位置に保持できるウイングロックを提供すること。【解決手段】 ストッパ１及びハンドル２の枢動位置に応じて、ストッパ１とハンドル２を解除可能に係合し、ハンドル２が受けた操作力をストッパ１に伝達する係合手段３と、ストッパ１に形成され、ストッパ１の所定の開き角度でベースプレートＢと当接してストッパ１の開き方向への枢動を制止する開き止め１ａと、あおりＡとストッパ１との間を弾性的に接続し、開き止め１ａがベースプレートと当接してストッパ１が開いている状態を保持する付勢力を発揮する弾性部材４と、ハンドル２に、係合手段３によるハンドル２とストッパ１の係合が解除されている状態で、ハンドル２のストッパ１に対する相対的な枢動を許容する第１の切欠き５と、を有する。【選択図】 図１
2006341736.tif 000002
【特許請求の範囲】
【請求項１】
基台に枢支され、該基台との間でウイングを挟んで該ウイングの閉止状態をホールドするストッパと、前記基台に枢支され、前記ウイングの閉止状態をホールドする際は操作によって下方に向かって枢動することにより前記ストッパの一部を押圧して上方の閉止位置に向かって枢動させるハンドルと、を有し、前記ストッパと前記ハンドルは、所定の枢動範囲において、互いに交差するよう前記基台にそれぞれ枢支されるウイングホルダーであって、
前記ストッパと前記ハンドルとの間に介設され、該ストッパ及び該ハンドルの枢動位置に応じて、該ストッパと該ハンドルを解除可能に係合し、該ハンドルが受けた操作力を該ストッパに伝達する係合手段と、
前記ストッパを所定の開き角度で制止する開き止めと、
前記基台と前記ストッパとの間を弾性的に接続し、前記開き止めにより該ストッパが開いている状態を保持する付勢力を発揮する弾性部材と、
前記ハンドルに形成され、前記係合手段による該ハンドルと前記ストッパの係合が解除されている状態で該ハンドルの該ストッパに対する相対的な枢動を許容する第１の切欠きと、
を有する、ことを特徴とするウイングホルダー。
【請求項２】
前記開き止めは、前記ストッパに形成され、前記所定の開き角度で前記基台と当接して該ストッパの一方向への枢動を制止することを特徴とする請求項１記載のウイングホルダー。
【請求項３】
前記弾性部材は、一端が前記基台に他端が前記ストッパにそれぞれ枢支されたコイルばねであることを特徴とする請求項１記載のウイングホルダー。
【請求項４】
前記弾性部材の一端は、枢動可能なレバーを介して、前記基台に枢支されることを特徴とする請求項１記載のウイングホルダー。
【請求項５】
前記弾性部材は、前記基台又は前記ストッパに取り付けられ、該基台と該ストッパの間で弾性変形する板ばねであることを特徴とする請求項１記載のウイングホルダー。
【請求項６】
前記弾性部材は、一端が前記基台に他端が前記ストッパにそれぞれ枢支された異形ばねであることを特徴とする請求項１記載のウイングホルダー。
【請求項７】
前記弾性部材は、前記ストッパの枢支点に装着され、前記ストッパと前記基台との間に圧縮介装されたねじりコイルばねであることを特徴とする請求項１記載のウイングホルダー。
【請求項８】
前記係合手段は、前記ストッパが前記ハンドルと交差する中間部に形成された摺動部と、前記ハンドルが前記ストッパと交差する中間部に形成され前記摺動部が摺動可能な滑り部と、を備え、前記摺動部と前記滑り部は、前記ストッパ及び前記ハンドルの枢動位置に応じて、互いに当接又は離間することを特徴とする請求項１記載のウイングホルダー。
【発明の詳細な説明】
【技術分野】
【０００１】
本発明は、ウイングを閉状態に保持するウイングホルダーに関し、特にバン型トラックのウイングを閉状態に保持するためのウイングホルダーに関する。
【背景技術】
【０００２】
物品を収容する収容装置の開閉手段として、鳥の羽根がはばたくように開閉する“ウイング”がある。このようなウイングは、例えばバン型トラックの荷箱の開閉手段として、トラック側部において上下方向に開閉するように、荷台上に設けられる。
【０００３】
特許文献１には、「回動して開状態にされるウイングを閉状態に保持するためのウイングロックであって、基台側に枢支され、操作により該基台側に接近又は離間するように枢動するハンドル部材と、前記基台側に枢支され、且つ前記ハンドル部材の枢動に伴い、該ハンドル部材からの付勢力を受けて該ハンドル部材の枢動方向とは反対方向に、且つ前記ウイングに接近又は離間するように枢動するストッパ部材と、を備え、前記ストッパ部材の中間部は前記ハンドル部材の中間部と交差されて連結ないし係合され、前記ストッパ部材は、前記中間部で前記ハンドル部材から付勢されて、該ストッパ部材の端部が前記ウイングに近接してウイングの開放を阻止する初期位置に係止され、前記ハンドル部材の一方向への枢動により、前記初期位置から枢動し、前記ウイングと離間して該ウイングを開放可能とし、前記ハンドル部材の他方向への枢動により、該ハンドル部材から前記初期位置方向に付勢されて、該初期位置方向に枢動することを特徴とするウイングロック。」が提案されている。
【０００４】
【特許文献１】特許第３５２３０２９号広報（請求項１）
【発明の開示】
【発明が解決しようとする課題】
【０００５】
あおりを備えたウイング車において、荷箱開放時、ウイングを跳ね上げ、さらに、ウイングホルダーのストッパ等が取り付けられているあおり（基台）も倒す際、ハンドルが車両下に設けられているサイドガードと干渉する場合がある。また、ウイングを閉止する際、ストッパが閉じているとウイングを閉止ないしホルダー位置（ロック位置）に移動することができない。
【０００６】
本発明の第１の目的は、ウイングホルダー装置全体が回転する場合においてハンドルが他の部材と干渉しない位置に自然に保持されるウイングホルダーを提供することである。
【０００７】
本発明の第２の目的は、ストッパをウイングの開閉の邪魔にならない開き位置に保持することができるウイングホルダーを提供することである。
【課題を解決するための手段】
【０００８】
本発明は、第１の視点において、基台に枢支され、該基台との間でウイングを挟んで該ウイングの閉止状態をホールドするストッパと、前記基台に枢支され、前記ウイングの閉止状態をホールドする際は操作によって下方に向かって枢動することにより前記ストッパの一部を押圧して上方の閉止位置に向かって枢動させるハンドルと、を有し、前記ストッパと前記ハンドルは、所定の枢動範囲において、互いに交差するよう前記基台にそれぞれ枢支されるウイングホルダーであって、前記ストッパと前記ハンドルとの間に介設され、該ストッパ及び該ハンドルの枢動位置に応じて、該ストッパと該ハンドルを解除可能に係合し、該ハンドルが受けた操作力を該ストッパに伝達する係合手段と、前記ストッパを所定の開き角度で制止する開き止めと、前記基台と前記ストッパとの間を弾性的に接続し、前記開き止めにより該ストッパが開いている状態を保持する付勢力を発揮する弾性部材と、前記ハンドルに形成され、前記係合手段による該ハンドルと前記ストッパの係合が解除されている状態で該ハンドルの該ストッパに対する相対的な枢動を許容する第１の切欠きと、を有する、ことを特徴とするウイングホルダーを提供する。
【０００９】
なお、「ウイング」とは、閉止時は所定の空間を覆い、開放時は回動ないしはね上げられることにより所定の空間を開放するものであり、特に、トラック又はトレーラ等に搭載される、或いは定置される荷箱、荷室又はコンテナ、或いはステージを開閉するために用いられる。
【発明の効果】
【００１０】
本発明によれば、ストッパ及びハンドルの所定の枢動位置に応じて、係合手段によるストッパとハンドルの係合が解除され、且つ第１の切欠きによって、ハンドルのストッパに対する相対的な枢動が許容されていることにより、装置全体が回転する場合においてもハンドルが他の部材と干渉しない位置に自然に保持されるため、ハンドル又は他の部材の損傷が防止される。
【００１１】
本発明によれば、ストッパと基台との間で作用する開き止めと弾性部材によって、ストッパをウイングの開閉の邪魔にならない開き位置に保持することができるため、ウイング開閉時、ウイングとストッパの干渉が防止され、ウイング操作が容易となる。
【００１２】
ところで、あおりを備えたウイング車には、車台の下にガードが配置されている。本発明をこのようなウイング車に取り付けた場合、あおり（基台）を倒した際にも、ハンドルが垂直方向に延在した状態、すなわち、ハンドルがあおりに自然にぶらさがった状態が維持されるため、ハンドルとガードとの干渉が防止される。
【発明を実施するための最良の形態】
【００１３】
本発明の好ましい実施の形態において、前記開き止めは、前記ストッパに形成され、前記所定の開き角度で前記基台と当接して該ストッパの一方向への枢動を制止する。
【００１４】
本発明の好ましい実施の形態において、弾性部材は、ストッパが開き勝手になるよう、基台とストッパの間に取り付けられる。例えば、ストッパの閉止状態（ロック状態）において、ストッパの軸線方向に対して、ストッパが開く方向の側に、弾性部材の付勢力が作用する方向がある。
【００１５】
本発明の好ましい実施の形態において、前記弾性部材は、一端が前記基台に他端が前記ストッパにそれぞれ枢支されたコイルばねである。
【００１６】
本発明の好ましい実施の形態において、前記弾性部材の一端は、枢動可能なレバーを介して、前記基台に枢支される。この形態によれば、ストッパに対して、弾性部材の付勢力が作用する角度を大きくとることができるため、ストッパを開き勝手にする力が増大する。
【００１７】
本発明の好ましい実施の形態において、前記弾性部材は、前記基台又は前記ストッパに取り付けられ、該基台と該ストッパの間で弾性変形する板ばねである。
【００１８】
本発明の好ましい実施の形態において、前記弾性部材は、一端が前記基台に他端が前記ストッパにそれぞれ枢支された異形ばねである。
【００１９】
本発明の好ましい実施の形態において、前記弾性部材は、前記ストッパの枢支点に装着され、前記ストッパと前記基台との間に圧縮介装されたねじりコイルばねである。
【００２０】
本発明の好ましい実施の形態において、前記係合手段は、前記ストッパが前記ハンドルと交差する中間部に形成された摺動部と、前記ハンドルが前記ストッパと交差する中間部に形成され前記摺動部が摺動可能な滑り部と、を備え、前記摺動部と前記滑り部は、前記ストッパ及び前記ハンドルの枢動位置に応じて、互いに当接又は離間する。
【００２１】
本発明の好ましい実施の形態に係るウイングホルダーは、前記ストッパに形成され、前記弾性部材の枢動を許容する第２の切欠きを有する。
【００２２】
本発明の好ましい実施の形態では、前記ウイングのロック状態において、前記第１の切欠きは上方が開口し、前記第２の切欠きは下方が開口し、前記第１の切欠き内に前記ストッパの枢支点を含む一部分が配置され、前記第２の切欠き内に前記弾性部材の一部が配置されている。
【００２３】
トラックの外法幅は法令上の規定があり、荷箱容積を大きくとるためには、トラックの側部に取り付けられるウイングホルダーはできるだけ薄い方が好ましい。本発明のウイングホルダーによれば、所定部材に他部材が配置可能な又は通過可能な切欠きを設けることにより、ウイングホルダー全体を薄く構成することができる。
【００２４】
本発明の好ましい実施の形態において、ストッパ等は、ベースプレートを介して他の部材に取り付けられる。ベースプレートと他の部材が一体である場合、全体を基台とみなすことができる。例えば、本発明のストッパ等は、ベースプレートを介して、回動可能なあおりに取り付けられる。なお、本発明のストッパ等は、あおりのような回動可能な部材とウイングを備えた車両又は装置に好適に適用されるが、基台として、不動なものにも適用され得る。
【実施例１】
【００２５】
図１（Ａ）〜（Ｃ）は、本発明の実施例１に係るウイングホルダーを説明するための図であり、（Ａ）は正面図、（Ｂ）は（Ａ）の側面図、（Ｃ）は（Ｂ）の中間動作図である。
【００２６】
図１（Ａ）〜（Ｃ）を参照すると、本発明の実施例１に係るウイングホルダーは、あおりＡに対してベースプレートＢを介して枢支され、ベースプレートＢとの間でウイングＷを挟んでウイングＷの閉止状態をホールドするストッパ１と、あおりＡに対してベースプレートＢを介して枢支され、ウイングＷの閉止状態をホールドする際は操作によって下方に向かって枢動することによりストッパ１の一部を押圧して上方のロック位置に向かって枢動させるハンドル２と、を有し、ストッパ１とハンドル２は、所定の枢動範囲において、互いに交差するようあおりＡに対してベースプレートＢを介してそれぞれ枢支されている。なお、ベースプレートＢはあおりＡの表面に一体に取り付けられ、両者を基台とみなすことができる。
【００２７】
ストッパ１とハンドル２との間には、ストッパ１及びハンドル２の枢動位置に応じて、ストッパ１とハンドル２を解除可能に係合し、ハンドル２が受けた操作力をストッパ１に伝達する係合手段３が介設されている。
【００２８】
さらに、このウイングホルダーは、ストッパ１に形成され、ストッパ１の所定の開き角度（ウイングＷの開閉を邪魔しない開き角度）でベースプレートＢと当接してストッパ１の一方向への枢動を制止する開き止め１ａと、ベースプレート（基台）ＢないしあおりＡとストッパ１との間を弾性的に接続し、開き止め１ａがベースプレートＢと当接してストッパ１が開いている状態を保持する付勢力を発揮するコイルばね（弾性部材）４と、ハンドル２に形成され、係合手段３によるハンドル２とストッパ１の係合が解除されている状態で、ハンドル２のストッパ１に対する相対的な枢動を許容する第１の切欠き５と、ストッパ１に形成され、コイルばね４の枢動を許容する第２の切欠き６と、を有している。
【００２９】
コイルばね４は、ストッパ１の閉止状態（ロック状態）において、ストッパ１の軸線方向に対して、ストッパ１が開く方向の側に、コイルばね４の付勢力が作用する方向があるよう配置され、これによって、ストッパ１が開き勝手とされている。
【００３０】
ウイングＷのロック状態において、第１の切欠き５は上方が開口し、第２の切欠き６は下方が開口し、第１の切欠き５内にストッパ１の枢支点を含む一部分が配置され、第２の切欠き６内にコイルばね４の一部が配置されている。
【００３１】
係合手段３は、ストッパ１がハンドル２と交差する中間部に形成された摺動部７と、ハンドル２がストッパ１と交差する中間部に形成され摺動部７が摺動可能な滑り部８と、を備え、摺動部７と滑り部８は、ストッパ１及びハンドル２の枢動位置に応じて、互いに当接又は離間する。
【００３２】
なお、ストッパ１は、ピン９及びベースプレートＢを介して、あおりＡに対して枢支され、ハンドル２は、ピン１０及びベースプレートＢを介して、あおりＡに対して枢支され、コイルばね４の一端はピン１１及びベースプレートＢを介してあおりＡに取り付けられ、同他端はピン１２を介してストッパ１に取り付けられている。ストッパ１の中間部に枢支点（ピン９）が位置し、枢支点を挟んで一側にウイングＷを閉止位置に保持するためのホルダー部が設けられ、同他側に開き止め１ａが形成されている。
【００３３】
基台側のベースプレートＢにはフック２０、ハンドル２には窓２１とばね力に抗して操作されるラッチ２２（図２（Ａ）参照）が設けられ、ハンドル２を枢動操作して窓２１にフック２０が挿通した状態でラッチ２２を上下に操作することにより、ラッチ２２がフック２０と窓２１を係合し、この結果、ハンドル２を解除可能にあおりＡに対してロックされ、ハンドル２により、係合手段３を介して、開き勝手のストッパ１が閉止され、ストッパ１がウイングＷを抑えることができる。
【００３４】
このウイングホルダーの動作を説明する。図２（Ｂ）は図１（Ｃ）に引き続く動作図、図２（Ａ）は図２（Ｂ）の正面図である。
【００３５】
図１（Ｂ）から図１（Ｃ）を参照すると、ストッパ１がウイングＷをベースプレート（基台）Ｂとの間で挟み、ストッパ１の枢動がハンドル２によって阻止されている状態から、ラッチ２２（図２（Ａ）参照）によるフック２０と窓２１の係合を解除し、ハンドル２を上方に枢動操作する。
【００３６】
開き勝手のストッパ１は、コイルばね４のばね力によって開き方向に枢動し、開き止め１ａがベースプレート（基台）Ｂに当接すると、コイルばね４のばね力によってその状態が保持される。次に、ウイングＷがはね上げられる。なお、ストッパ１が枢動するとき、コイルばね４も、第２の切欠き６を通過しながらストッパ１と共に枢動する。
【００３７】
図１（Ｃ）から図２（Ｂ）を参照すると、ウイングＷをはね上げた後、さらに、荷室をさらに開放するため、あおりＡを枢動させて倒していく。あおりＡが、所定角度まで倒れると、係合手段３（摺接）によるハンドル２とストッパ１の係合が自然に解除され、ハンドル２はあおりＡに対してぶら下がった状態、すなわち、下方に延在した安全な状態となる。
【００３８】
図３（Ａ）及び（Ｂ）は、本発明の実施例１に係るウイングホルダーを、サイドガードを有するウイング車に適用した場合を説明するための動作図であり、但し、図３（Ａ）及び（Ｂ）は図２（Ｂ）を反対方向から見た図に相当する。
【００３９】
図３（Ａ）から図３（Ｂ）を参照すると、車台Ｃにピン１３を介して枢支されたあおりＡを下方まで倒しても、ハンドル２はあおりＡにぶら下がっているだけであるため、ハンドル２は車台下のサイドガードＤに干渉しない。なお、ストッパ１は、サイドガードＤに当接すると、コイルばね４のばね力に抗して、あおりＡ側に押し込まれていく。
【００４０】
なお、ウイングＷをロックする際は、以上説明した動作が逆に実行され、ストッパ１が係合手段３を介してハンドル２から押し込まれて行き、ウイングＷのロック位置に到達する。
【実施例２】
【００４１】
本発明の実施例２に係るウイングホルダーを説明する。なお、本実施例に係るウイングホルダーが、前記実施例１に係るウイングホルダーと同様の構成を有し、同様の動作をする点に関しては、前記実施例１の記載を適宜参照することができるものとし、以下の説明においては、主として本実施例と前記実施例１の相違点について説明する。
【００４２】
図４（Ａ）〜（Ｃ）は、本発明の実施例２に係るウイングホルダーを説明するための図であり、（Ａ）は正面図、（Ｂ）は（Ａ）の側面図、（Ｃ）は（Ｂ）の中間動作図である。  
【００４３】
図４（Ａ）〜（Ｃ）を参照すると、あおりＡには、ベースプレートＢ及びピン１５を介して、レバー１６が枢支されている。レバー１６は、第１の切欠き５及びハンドル２内に収容されている。コイルばね４の一端は、枢動可能なレバー１６を介して、あおりＡに取り付けられている。このように、レバー１６を介して、コイルばね４の取付点を変えることにより、ストッパ１を開き勝手にする力を高めることができる。
【実施例３】
【００４４】
本発明の実施例３に係るウイングホルダーを説明する。なお、本実施例に係るウイングホルダーが、前記実施例１に係るウイングホルダーと同様の構成を有し、同様の動作をする点に関しては、前記実施例１の記載を適宜参照することができるものとし、以下の説明においては、主として本実施例と前記実施例１の相違点について説明する。
【００４５】
図５（Ａ）〜（Ｃ）は、本発明の実施例３に係るウイングホルダーを説明するための図であり、（Ａ）は正面図、（Ｂ）は（Ａ）の側面図、（Ｃ）は（Ｂ）の中間動作図である。
【００４６】
図５（Ａ）〜（Ｃ）を参照すると、このウイングホルダーは、弾性部材として、あおりＡないしベースプレートＢ（基台）とストッパ１との間を弾性的に接続し、開き止め１ａがベースプレートＢと当接してストッパ１が開いている状態を保持する付勢力を発揮する板ばね１７を有している。板ばね１７は、ストッパ１又はベースプレート（基台）Ｂのいずれか一方に取り付け、他方には摺接させる。板ばね１７は、ストッパ１のウイングホルダー状態で扁平になり、ストッパ１の枢動状態で変形することにより、ウイングホルダー全体を薄型に構成することができる。
【実施例４】
【００４７】
本発明の実施例４に係るウイングホルダーを説明する。なお、本実施例に係るウイングホルダーが、前記実施例１に係るウイングホルダーと同様の構成を有し、同様の動作をする点に関しては、前記実施例１の記載を適宜参照することができるものとし、以下の説明においては、主として本実施例と前記実施例１の相違点について説明する。
【００４８】
図６（Ａ）〜（Ｃ）は、本発明の実施例４に係るウイングホルダーを説明するための図であり、（Ａ）は正面図、（Ｂ）は（Ａ）の側面図、（Ｃ）は（Ｂ）の中間動作図である。
【００４９】
図６（Ａ）〜（Ｃ）を参照すると、このウイングホルダーは、弾性部材として、あおりＡとストッパ１との間を弾性的に接続し、開き止め１ａがベースプレートＢと当接してストッパ１が開いている状態を保持する付勢力を発揮する異形ばね１８を有している。異形ばね１８の一端と他端は、取付部材１１、１２の穴にそれぞれ挿通されている。異形ばね１８は、ストッパ１のウイングホルダー状態で扁平になり、又ストッパ１の枢動位置に応じて変形し、付勢力ないしばね力をストッパ１に作用する。
【実施例５】
【００５０】
本実施例では、前記実施例４で用いた異形ばねの種々の形態を説明する。図７（Ａ）〜（Ｃ）は、図６に示した異形ばねの変形例を説明するための図である。
【００５１】
図７（Ａ）を参照すると、ストッパ側と基台（ベースプレート）側との間に、弾性変形するループ部を有する複数の異形ばね１８が取り付けられる。
【００５２】
図７（Ｂ）を参照すると、ストッパ側と基台（ベースプレート）側との間に、弾性変形する弧状部を有する複数の異形ばね１８が取り付けられる。
【００５３】
図７（Ｃ）を参照すると、ストッパ側と基台（ベースプレート）側との間に、直線部と弾性変形する弧状部を有する異形ばね１８が取り付けられる。
【実施例６】
【００５４】
本発明の実施例６に係るウイングホルダーを説明する。なお、本実施例に係るウイングホルダーが、前記実施例１に係るウイングホルダーと同様の構成を有し、同様の動作をする点に関しては、前記実施例１の記載を適宜参照することができるものとし、以下の説明においては、主として本実施例と前記実施例１の相違点について説明する。
【００５５】
図８は、本発明の実施例６に係るウイングホルダーを説明するための動作図であって、ストッパとハンドルが上下方向に延在して交差している状態が閉止状態、斜めに交差している状態がウイング開放可能な状態を示している。  
【００５６】
図８を参照すると、あおりＡが切り欠かれた凹部２３に、ストッパ１の枢支点であるピン９とねじりコイルばね（弾性部材）２４が配置されている。ねじりコイルばね２４は、ストッパ１の枢支点であるピン９に装着され、ストッパ１とあおりＡ（基台）との間に圧縮介装されている。ねじりコイルばね２４は、開き止め１ａがベースプレートＢと当接してストッパ１が開いている状態を保持する付勢力を発揮する。
【００５７】
ストッパ１の一側がウイングＷを閉止位置に保持するためのホルダー部であり、ストッパの中間部に枢支点（ピン９）が位置し、ストッパ１の他側に開き止め１ａが凹部２３に収容可能に形成されている。これによって、ウイングホルダー全体が薄型に形成されている。
【実施例７】
【００５８】
本発明の実施例７に係るウイングホルダーを説明する。なお、本実施例に係るウイングホルダーが、前記実施例１に係るウイングホルダーと同様の構成を有し、同様の動作をする点に関しては、前記実施例１の記載を適宜参照することができるものとし、以下の説明においては、主として本実施例と前記実施例１の相違点について説明する。
【００５９】
本発明の実施例７に係るウイングホルダーは、基台に対するストッパの開き角度を制限する手段として、基台とストッパの間に設けられたリンク機構、例えば、複数のアームとそれらをリンクする複数のピンで構成されるリンク機構、又、ピンと、長穴を備えたアームと、前記長穴内を移動するピンで構成されるリンク機構、或いは、基台とストッパの間を結ぶヒモ状部材を有する。
【産業上の利用可能性】
【００６０】
本発明は、バン型トラックの側面開放式のウイングのホルダー機構として、好適に適用されるが、後面開放式又は前面開放式など種々の形態のウイングのホルダー機構として好適に適用される。特に、ウイングとあおりを備えた車両又は装置に好適に適用される。また、トラックなどの車両以外に、ステージ、或いは収容庫などの固定物のウイングのホルダー機構にも適用される。
【図面の簡単な説明】
【００６１】
【図１】（Ａ）〜（Ｃ）は、本発明の実施例１に係るウイングホルダーを説明するための図であり、（Ａ）は正面図、（Ｂ）は（Ａ）の側面図、（Ｃ）は（Ｂ）の中間動作図である。
【図２】（Ｂ）は図１（Ｃ）に引き続く動作図、（Ａ）は（Ｂ）の正面図である。
【図３】（Ａ）及び（Ｂ）は、本発明の実施例１に係るウイングホルダーを、サイドガードを有するウイング車に適用した場合を説明するための動作図であり、但し、図３（Ａ）及び（Ｂ）は図２（Ｂ）を反対方向から見た図に相当する。
【図４】（Ａ）〜（Ｃ）は、本発明の実施例２に係るウイングホルダーを説明するための図であり、（Ａ）は正面図、（Ｂ）は（Ａ）の側面図、（Ｃ）は（Ｂ）の中間動作図である。
【図５】（Ａ）〜（Ｃ）は、本発明の実施例３に係るウイングホルダーを説明するための図であり、（Ａ）は正面図、（Ｂ）は（Ａ）の側面図、（Ｃ）は（Ｂ）の中間動作図である。
【図６】（Ａ）〜（Ｃ）は、本発明の実施例４に係るウイングホルダーを説明するための図であり、（Ａ）は正面図、（Ｂ）は（Ａ）の側面図、（Ｃ）は（Ｂ）の中間動作図である。
【図７】（Ａ）〜（Ｃ）は、本発明の実施例５に係り、図６に示した異形ばねの変形例を説明するための図である。
【図８】本発明の実施例６に係るウイングホルダーを説明するための動作図である。
【符号の説明】
【００６２】
１  ストッパ
１ａ  開き止め
２  ハンドル
３  係合手段
４  コイルばね（弾性部材）
５  第１の切欠き
６  第２の切欠き
７  摺動部
８  滑り部
９、１０  ピン
１１、１２  ピン（取付部材）
１３  ピン
１５  ピン
１６  レバー
１７  板ばね（弾性部材）
１８  異形ばね（弾性部材）
２０  フック
２１  窓
２２  ラッチ
２３  凹部
２４  ねじりコイルばね（弾性部材）
Ｗ  ウイング
Ａ  あおり（基台）
Ｂ  ベースプレート（基台）
Ｃ  車台
Ｄ  サイドガード
【図１】
2006341736.tif 000003
【図２】
2006341736.tif 000004
【図３】
2006341736.tif 000005
【図４】
2006341736.tif 000006
【図５】
2006341736.tif 000007
【図６】
2006341736.tif 000008
【図７】
2006341736.tif 000009
【図８】
2006341736.tif 000010